(57)【要約】【課題】複数の店舗の広告を掲載した広告紙媒体に関し、集客効果のある広告紙媒体を提供することを目的とする。【解決手段】複数の店舗の広告を掲載した広告紙媒体１１において、前記店舗に関するウェブページのＵＲＬを表す２次元コード１１１が前記複数の店舗のうちの一部または全部の店舗の広告ごとに表示されたものであることを特徴とし、前記複数の店舗の来店者に該店舗ごとに異なる特典を付与するクーポンが前記複数の店舗のうちの一部または全部の店舗の広告ごとに表示されたものであることがより好ましい。【選択図】        図１
0003156276.tif 000002
【実用新案登録請求の範囲】
【請求項１】
複数の店舗の広告を掲載した広告紙媒体において、
前記店舗に関するウェブページのＵＲＬを表す２次元コードが前記複数の店舗のうちの一部または全部の店舗の広告ごとに表示されたものであることを特徴とする広告紙媒体。
【請求項２】
前記複数の店舗の来店者に該店舗ごとに異なる特典を付与するクーポンが前記複数の店舗のうちの一部または全部の店舗の広告ごとに表示されたものであることを特徴とする請求項１記載の広告紙媒体。
【請求項３】
前記２次元コードが、店舗の情報を表す動画を表示する動画ページあるいは該動画ページに導くための案内ページのＵＲＬを表すものであることを特徴とする請求項１または２記載の広告紙媒体。
【請求項４】
前記複数の店舗の来店者に店舗間で共通の特典を当選者に付与する抽選に、来店すると参加することができることが告知されたものであることを特徴とする請求項１から３のいずれか１項に記載の広告紙媒体。
【請求項５】
受取人に特典を付与するクーポンが別途添付されていることを特徴とする請求項１から４のいずれか１項に記載の広告紙媒体。
【請求項６】
この広告紙媒体が、複数の掲載領域に区分けされ、所定方向を等分する予め定められた折り返し予定線で折り返して折り畳むことを予定したものであって、
前記複数の掲載領域が前記折り返し予定線を避けて配置されたものであることを特徴とする請求項１から４のいずれか１項に記載の広告紙媒体。
【請求項７】
前記折り返し予定線が、３本以上あることを特徴とする請求項６記載の広告紙媒体。
【請求項８】
前記折り返し予定線が、この広告紙媒体の縦方向および横方向のうちのいずれか一方の方向を２等分する１本の折り返し予定線と、この広告紙媒体の該一方に対する他方の方向を３等分する２本の折り返し予定線であることを特徴とする請求項６記載の広告紙媒体。
【請求項９】
前記複数の掲載領域のうちの一つが、この広告紙媒体のタイトルおよび発行者を表示した掲載領域であることを特徴とする請求項６から８のいずれか１項に記載の広告紙媒体。
【請求項１０】
外から収容物を視認可能な封筒と
前記封筒に折り畳んで収められた、請求項１から４のいずれか１項に記載の広告紙媒体と、
前記封筒に収められた、受取人に特典を付与する複数枚のクーポンとを有し、
前記複数枚のクーポンが、互いにずらして一つにまとめた状態で、前記封筒に外から視認可能に収められたものであることを特徴とする広告セット物。
【請求項１１】
前記封筒が、おもて面と裏面それぞれに透明部分を有するものであり、
前記複数枚のクーポンが、前記封筒に収められたときに、折り畳んで収められた前記広告紙媒体からはみ出す長さになるように互いにずらして一つにまとめられたものであることを特徴とする請求項１０記載の広告セット物。
【考案の詳細な説明】
【技術分野】
【０００１】
本考案は、広告紙媒体および広告セット物に関する。
【背景技術】
【０００２】
近年、郊外への大型店の進出により商店街からの顧客離れが問題となっている。全国の各商工会等では、商店街を活性化させるべく様々な試みが行われている。
【０００３】
非特許文献１には、フリーマーケット、特産品フェア、およびナイトバザールといったイベントを開催することによって顧客を呼び戻そうという事例が報告されている。また、商店街への新規事業者の参入を促すために、テナント料を割り引いたり、店舗の改装費を無料にするという事例も報告されている。さらに、商店街では購入することができない商品を求めて顧客が大型店に流出してしまうという事態を防ぐため、不足業種を誘致したり、商店街全体で不足業種を新たに立ち上げるといった事例も報告されている。また、高齢者にＦＡＸをレンタルして注文を受け付け、商品を配送する傍ら高齢者の安否を確認するという新たなサービスの事例も報告されている。
【先行技術文献】
【非特許文献】
【０００４】
【非特許文献１】中小企業庁編「中小企業白書  平成１０年版」大蔵省印刷局、１９９８年５月
【考案の概要】
【考案が解決しようとする課題】
【０００５】
上記の事例以外で商店街を活性化する方法の一つとして広告により顧客の購買意欲を刺激し集客を図る方法がある。その一例として、安売りの情報を掲載したチラシやフリーペーパーの配布がある。これらのチラシ等に掲載された広告には、集客効果があるが、チラシ等を発行するためには費用がかかるため、費用対効果の大きい広告が望ましい。
【０００６】
本考案は上記事情に鑑み、集客効果のある広告紙媒体および広告セット物を提供することを目的とする。
【課題を解決するための手段】
【０００７】
上記目的を達成するための本考案の広告紙媒体は、複数の店舗の広告を掲載した広告紙媒体であって、
上記店舗に関するウェブページのＵＲＬが記録された２次元コードが上記複数の店舗のうちの一部または全部の店舗の広告ごとに表示されたものであることを特徴とする。
【０００８】
本考案の広告紙媒体によれば、消費者に来店を促すことができるとともに、各店舗の情報を記載したウェブページのＵＲＬを、広告を閲覧した者がアクセスしやすい形態で知らせることができる。
【０００９】
ここで、上記広告紙媒体は、上記複数の店舗の来店者にその店舗ごとに異なる特典を付与するクーポンが上記複数の店舗のうちの一部または全部の店舗の広告ごとに表示されたものであってもよい。
【００１０】
この広告紙媒体によれば、消費者の購買意欲を刺激して消費者に来店を促すことができる。
【００１１】
また、上記広告紙媒体は、上記２次元コードが、店舗の情報を表す動画を表示する動画ページあるいはその動画ページに導くための案内ページのＵＲＬを記録したものであってもよい。
【００１２】
この広告紙媒体によれば、動画を利用することによって文章や画像だけのページよりも店舗の特徴をより詳しくより魅力的に伝える動画ページの閲覧を促すことができる。
【００１３】
さらに、上記広告紙媒体は、上記複数の店舗の来店者に店舗間で共通の特典を当選者に付与する抽選に来店すると参加することができることが告知されたものであってもよい。
【００１４】
この広告紙媒体によれば、複数の店舗が共同して集客力を上げることができる。
【００１５】
さらにまた、上記広告紙媒体は、受取人に特典を付与するクーポンが別途添付されているものであってもよい。
【００１６】
この広告紙媒体によれば、広告掲載店がより多くの集客を望む場合や、広告に掲載されていない店が集客を望む場合に対応することができる。
【００１７】
加えて、この広告紙媒体が、複数の掲載領域に区分けされ、所定方向を等分する予め定められた折り返し予定線で折り返して折り畳むことを予定したものであって、
上記複数の掲載領域が上記折り返し予定線を避けて配置されたものであってもよい。
【００１８】
この広告紙媒体によれば、広告紙媒体が折り畳まれた状態であっても、複数の掲載領域のうちの所定の掲載領域に掲載された内容すべてを受取人に見せることができる。
【００１９】
また、この広告紙媒体は、上記折り返し予定線が、３本以上あるものであってもよい。
【００２０】
この広告紙媒体によれば、よりコンパクトに折り畳んた状態であっても、複数の掲載領域のうちの所定の掲載領域に掲載された内容すべてを受取人に見せることができる。
【００２１】
さらに、この広告紙媒体は、上記折り返し予定線が、この広告紙媒体の縦方向および横方向のうちのいずれか一方の方向を２等分する１本の折り返し予定線と、この広告紙媒体のその一方に対する他方の方向を３等分する２本の折り返し予定線であるものであってもよい。
【００２２】
この広告紙媒体によれば、広告紙媒体の一面が６つの掲載領域に区分けされ、その各掲載領域に店舗の広告等を記載することができる。さらに、広告紙媒体が折り畳まれた状態であっても、複数の掲載領域のうちの所定の掲載領域に掲載された内容すべてを受取人に見せることができる。
【００２３】
さらにまた、この広告紙媒体は、上記複数の掲載領域のうちの一つが、この広告紙媒体のタイトルおよび発行者を表示した掲載領域であるものであってもよい。
【００２４】
この広告紙媒体によれば、所定の掲載領域に掲載されたタイトルおよび発行者の内容すべてを受取人に見せることができる。
【００２５】
上記目的を達成するための本考案の広告セット物は、
外から収容物を視認可能な封筒と
上記封筒に折り畳んで収められた、請求項１から４のいずれか１項に記載の広告紙媒体と、
上記封筒に収められた、受取人に特典を付与する複数枚のクーポンとを有し、
上記複数枚のクーポンが、互いにずらして一つにまとめた状態で、上記封筒に外から視認可能に収められたものであることを特徴とする。
【００２６】
本考案の広告セット物によれば、封筒を開けなくても受取人に広告紙媒体や複数枚のクーポンの存在を気づかせることができ、受取人の購買意欲を刺激して集客効果を上げることができる。
【００２７】
また、この広告セット物は、上記封筒が、おもて面と裏面それぞれに透明部分を有するものであり、
上記複数枚のクーポンが、上記封筒に収められたときに、折り畳んで収められた上記広告紙媒体からはみ出す長さになるように互いにずらして一つにまとめられたものであってもよい。
【００２８】
この広告セット物によれば、封筒を開けなくても広告紙媒体を認識した受取人は自ら複数枚のクーポンの存在に気づき、受取人の購買意欲を刺激して集客効果を上げることができる。
【考案の効果】
【００２９】
本考案によれば、集客効果の高い広告紙媒体が実現する。
【図面の簡単な説明】
【００３０】
【図１】本考案の一実施形態である広告紙媒体を示す図である。
【図２】本実施形態の”○×食堂”のウェブページを示す図である。
【図３】図１に示す広告紙媒体とは別の広告紙媒体を示す図である。
【図４】ポストに投函されるいわゆるポスティング形式の広告紙媒体を示す図である。
【図５】図４に示す広告紙媒体とは別の広告紙媒体を示す図である。
【考案を実施するための形態】
【００３１】
以下図面を参照して、本考案の実施形態を説明する。
【００３２】
図１は、本考案の一実施形態である広告紙媒体を示す図である。
【００３３】
この広告紙媒体１１は、ある商店街（例えば“○○○商店街”）によって発行され、例えば新聞の折り込みチラシのように集客を目的として配布されるものであり、商店街に加入している複数の店舗の広告が掲載されたものである。この広告紙媒体１１は、上部１１５、下部１１６、およびこれらの上部１１５と下部１１６を除いた広告スペース１１７の３つの部分で構成されている。上部１１５には広告タイトルおよび後述する特典の案内が記載されている。下部１１６にはこの広告の使用方法、発行者、およびその発行者の有するウェブページのＵＲＬが記載されている。広告スペース１１７は８つの広告区画に区分され、その広告区画毎に各店舗の名称および受けられる特典が記載されている。この広告スペース１１７を区画毎に切り離すと、各店舗で特典が受けられるクーポンとして使用することができる。下部１１６の”クーポンは”で始まる記載は、この広告紙媒体１１の使用方法について説明したものである。なお、この図１では紙面の都合上、上記各広告区画内に店名、特典内容、および２次元コード１１１しか掲載されていないが、本来はこれら以外にも店の場所、連絡先、取扱商品なども掲載されている。また、一部の店舗が上記の広告区画内に特典を記載せず、店舗紹介のみを記載したものであってもよい。
【００３４】
広告紙媒体１１を閲覧した消費者は、特典を目にすることにより購買意欲を刺激される。したがって、この広告紙媒体１１を利用して消費者に来店を促すことができる。さらにその特典が消費者にとって魅力的であった場合等には、その消費者は新たな広告紙媒体１１の発行を期待するようになり、その後の集客に寄与する。
【００３５】
上記広告紙媒体１１の広告スペース１１７の各広告区画中の右上に記載された２次元コード１１１は、各店舗の情報を記載したウェブページのＵＲＬ（例えば、“ｈｔｔｐ：／／ｏｘ−ｓｈｏｋｕｄｏｕ．ｃｏｍ／ａｄｖｔ．ｈｔｍｌ”）を表すものである。なお、この２次元コード１１１を表示しない広告区画があってもよい。２次元コード読み取り機能およびウェブページ閲覧機能（以下所定の機能と称する）を有する携帯通信端末でこの２次元コードを読み取れば、手軽に上記ウェブページを閲覧して各店舗の情報を得ることができる。したがって、このウェブページに広告を記載しておくことで、このウェブページを閲覧した者の購買意欲を刺激して来店を促すことができる。
【００３６】
広告紙媒体１１の上部１１５にある“チャンス”で始まる記載は、広告紙媒体１１に記載された複数の店舗の来店者に店舗間で共通の特典を当選者に付与する抽選に、来店すると参加することができることが告知されたものである。複数の店舗間で共通の特典を設けることにより、これらの複数の店舗全体（例えば商店街全体）で効果的に集客をすることができる。
【００３７】
なお、本実施形態の広告紙媒体１１の発行者は商店街に限らず、メーカや店舗であってもよい。例えば不動産業の経営者が広告区画毎に賃貸物件や販売物件を２次元コード付きで紹介してもよい。
【００３８】
また、本実施形態でいう特典とは、必ず得られるものであっても、抽選によるものであってもよい。具体的には、抽選に参加する権利、景品、割引券（例えば商店街共通割引券や広告主の店舗の割引券等）、および店舗のポイント等であってもよい。さらに、広告紙媒体１１は、各店舗の広告部分を切り離して使用する形式だが、切り離して使用するものでなくてもよい。また、広告紙媒体１１は、例えば新聞の折り込みチラシとして使用することができる。
【００３９】
図２は、本実施形態の”○×食堂”のウェブページを示す図である。
【００４０】
図２には、所定の機能を有する携帯通信端末２２が示され、その画面２２１には図１に示す広告紙媒体１１に掲載された”○×食堂”のウェブページが示されている。このウェブページには、一番上に店舗名が表示され、その下に店舗を紹介する動画の一場面が示されている。この動画は、一定の表示間隔で切り替わるスライドショーであってもよい。なお、店舗の紹介は動画に限られず文字で示されるものであってもよい。さらにこの動画の下には“○×食堂”で受けられる特典が記載されており、この記載を見た者が来店することが期待できる。
【００４１】
なお、このウェブページは店舗についての広告を記載したウェブページに限られない。例えば、商店街の各店舗がそれぞれ広告を記載したウェブページを運営している場合、ウェブページがこうしたウェブページへのリンクを張った商店街全体のウェブページのようなものであってもよい。すなわち、ウェブページは、各店舗のウェブページに導くための、各店舗間で共通の案内ウェブページであってもよい。
【００４２】
上記のウェブページでは動画によって店舗の特徴をより詳しくより魅力的に伝えることができる。したがって、ウェブページを閲覧した者の購買意欲をより刺激して、来店を促すことができる。
【００４３】
ここで、上記の実施形態で説明した広告紙媒体以外の広告紙媒体について説明する。
【００４４】
図３は、図１に示す広告紙媒体とは別の広告紙媒体を示す図である。
【００４５】
図３には、図１に示す広告紙媒体１１とはレイアウトが異なる広告紙媒体３１が示されている。ここでは重複した説明を避けるために、図１に示す広告紙媒体１１と共通する部分については説明を省略し、図１に示す広告紙媒体１１とは異なる部分について説明する。図３に示された広告紙媒体３１は、後述する折り返し予定線によって複数の掲載領域に区分けされ、この広告紙媒体３１を折り畳んだときにタイトルや店舗の広告が折り曲げられることがないように、上記複数の掲載領域が折り返し予定線を避けてレイアウトされたものである。図３に示す、広告紙媒体３１を横切る２本の点線のうち上にある点線１１８は縦方向を２等分する第１の折り返し予定線である。また、広告紙媒体３１を縦に走る２本の点線１１９は横方向に３等分する第２の折り返し予定線である。本実施形態では広告紙媒体３１は第１の折り予定線で２つ折りされることを想定してレイアウトされたものであり、さらに必要に応じて第２の折り返し予定線で３つ折りされることも想定してレイアウトされたものである。このレイアウトが想定する通りに広告紙媒体３１を折り畳むと、店舗の広告が折り曲げられなくてすむ。特にタイトルの部分や特定の店舗の広告が視認できるように折り畳むことができるため、封筒に折り畳まれた状態で配布されるような場合であっても受取人の購買意欲を刺激することができる。なお、この広告紙媒体３１は、折り目になる部分以外のレイアウトについては自由である。また、広告紙媒体３１は、そのレイアウトの基になる折り方について特に制限するものではなく、例えば縦に２つ折りした後に横に２つ折りする折り方を想定をしたものであってもよい。また、この広告紙媒体３１は例えばチラシやフリーペーパー等にも使用することができる。このとき、想定した折り方通りに折り畳んで使用してもよいし、そのまま折り畳まずに使用してもよい。
【００４６】
図４はポストに投函されるいわゆるポスティング形式の広告紙媒体を示す図である。この広告紙媒体は、図１に示す上記広告紙媒体１１に受取人に特典を付与するクーポン１１２が別途添付されたものを透明なビニール封筒１１３に入れたものである。商店街のように複数の店舗が共同で広告を出す場合、チラシのような広告紙媒体は大きさが決まっており、またコストもかかることから全ての店舗について十分な広告を出すことや、ある店舗を特にアピールするということが困難である。そこで、図４に示すように、共同で出す広告とは別に各店舗が独自に用意したサービス券等を添付することで、広告掲載店がより多くの集客を望む場合や、広告に掲載されていない店が集客を望む場合に対応することができる。
【００４７】
なお、図４に示す広告紙媒体はポスティング形式に限らず、商店街や店舗に置いて配布されるものであってもよい。
【００４８】
図５は、図４に示す広告紙媒体とは別の広告紙媒体を示す図である。
【００４９】
ここでは重複した説明を避けるために、図４に示す広告紙媒体の説明と共通する部分については説明を省略し、図４に示す広告紙媒体とこの図５に示す広告紙媒体との異なる部分について説明する。
【００５０】
この図５には、図３に示された広告紙媒体３１を折り畳み、図４に示されたクーポン１１２を別途添付して、全体が透明なビニール封筒１１３に入れた広告セット物３４が示されている。具体的には図５の下部左側にはこの広告セット物３４をおもて面から見た様子が示され、同図の下部右側にはこの広告セット物３４を裏面から見た様子とが示されている。すなわち図５に示す封筒１１３は、おもて面１１３ａと裏面１１３ｂがともに透明である。広告紙媒体３１はタイトルが見えるように折り畳まれており、このタイトル側を封筒１１３のおもて面側に向けて収められる。各クーポン１１２は長方形のものであり、そのおもて面１１２ａにはクーポンの発行元の店名や特典が大きく表示されている。各クーポン１１２は全てのクーポンのおもて面１１２ａが同じ向きになるようにして互いに長手方向にずらして１つのクーポン束３２としてまとめられている。すなわち、図４にはクーポン１１２がそのまま添付されている様子が示されていたが、この図５では、互いにずらして重ねた状態の３枚のクーポン１１２をステープラーの針３３で固定して縦長のクーポン束３２にした様子が示されている。クーポン１枚の長さは折り畳まれた広告紙媒体３１の長さよりも短く、また、クーポン１枚の横幅も折り畳まれた広告紙媒体３１の横幅よりも狭い。なお、本実施形態ではクーポン束３２がステープラーの針３３で固定されているが、例えば糊やクリップで固定するものであってもよい。１つのクーポン束の上下方向の長さは、折り畳まれた広告紙媒体３１の上下方向の長さよりも長い。このクーポン束３２は、各クーポンのおもて面１１２ａを封筒１１３のおもて面側に向けて、広告紙媒体３１よりも封筒１１３の裏面側に収められる。封筒１１３に収められた１つのクーポン束３２の上部は、折り畳んで同じく封筒１１３に収められた広告紙媒体３１よりも上方にはみ出している。封筒１１３をおもて面側から見ると、クーポン束３２の一部が広告紙媒体３１により隠れてしまうものの、はみだした上部については封筒１１３のおもて面側から見ることができるため、受取人がクーポンの存在を認識することができる。なお、クーポン束３２のおもて面が封筒１１３の裏面側に向けてあってもよい。裏面側に向けておくことによって封筒１１３を裏面側から見たときにクーポンの内容をはっきり認識することができる。
【００５１】
なお、図５には図４に示す広告紙媒体３１が示されているが、これに限らず例えば図１に示す広告紙媒体１１が入っているものであってもよい。また、封筒１１３は全部が透明なものに限らず、広告紙媒体３１およびクーポン束３２が視認できるように一部が透明になっているものであってもよい。
【００５２】
また、上記以外の広告紙媒体であっても、２次元コードを表示することができる広告紙媒体であれば形式は問わない。
【００５３】
以上、説明したように本実施形態の広告紙媒体によれば集客効果を向上することができる。
【符号の説明】
【００５４】
１１  広告紙媒体
１１１  ２次元コード
１１２  クーポン
１１３  封筒
１１５  上部
１１６  下部
１１７  広告スペース
１１８，１１９  折り返し予定線
２２  携帯通信端末
２２１  画面
３１  広告紙媒体
３２  クーポン束
３３  ステープラー針
３４  広告セット物
【図１】
0003156276.tif 000003
【図２】
0003156276.tif 000004
【図３】
0003156276.tif 000005
【図４】
0003156276.tif 000006
【図５】
0003156276.tif 000007
【手続補正書】
【提出日】平成21年10月14日(2009.10.14)
【手続補正１】
【補正対象書類名】図面
【補正対象項目名】図１
【補正方法】変更
【補正の内容】
【図１】
0003156276.tif 000008
【手続補正２】
【補正対象書類名】図面
【補正対象項目名】図３
【補正方法】変更
【補正の内容】
【図３】
0003156276.tif 000009
【手続補正３】
【補正対象書類名】図面
【補正対象項目名】図５
【補正方法】変更
【補正の内容】
【図５】
0003156276.tif 000010